(57)【要約】【課題】個人差の大きい手ぶれ量とユーザの好みを加味して撮影条件を設定することができるデジタルカメラを提供する。【解決手段】ＣＣＤ１４への露光時間を決定するシャッタースピードと、撮影感度（ＣＣＤ１４を用いて取得した画像信号の増幅率）と、が変更可能であり、１回の撮影指示に応じて、１のデジタル画像データを取得する通常撮影モードと、複数のデジタル画像データを取得する連続撮影モードと、の何れかを選択的に実行すると共に、連続撮影モードでの撮影処理では、撮影条件のうち、露光時間及び増幅率を互いに異ならせて複数のデジタル画像データを取得し、取得したデジタル画像データのうち、何れか１つを選択させ、選択されたデジタル画像データの撮影条件を記憶し、記憶した撮影条件に基づいて選択傾向情報を導出し、通常撮影モードでの撮影処理において撮影条件を設定する際に、導出した選択傾向情報を加味する。【選択図】図２
2009017368.tif 000002
【特許請求の範囲】
【請求項１】
被写体像を示すデジタル画像データを取得するための撮像素子と、
前記撮像手段を介したデジタル画像データの取得タイミングを指示するための入力手段と、
前記撮像素子への露光時間を制御する露光制御手段と、
前記撮像素子を介してデジタル画像データを取得する際の増幅率を予め設定された複数の増幅率の何れかに切換える切換え手段と、
前記入力手段により撮影指示が入力された場合に、前記露光時間及び前記増幅率を含む撮影条件を導出して設定する設定手段と、
前記入力手段による１回の撮影指示に応じて、１のデジタル画像データを取得する通常撮影モードと、連続して複数のデジタル画像データを順次取得する連続撮影モードと、の何れかで撮影処理を実行する撮影実行手段と、
前記撮影実行手段により前記連続撮影モードでの前記撮影処理を実行させる際に、前記設定手段により、露出は一定で前記露光時間及び前記増幅率が互いに異なるデジタル画像データを取得するように前記設定手段により撮影条件を設定し、１のデジタル画像データを取得する毎に増幅率及び露光時間を変更するように前記切換え手段及び前記露光制御手段を制御する制御手段と、
前記撮像素子を介した撮影により取得された複数のデジタル画像データのうちの何れか１つを選択するための選択手段と、
前記選択手段による選択結果に応じて、選択されたデジタル画像データが取得されたときの前記露光時間及び前記増幅率等の撮影条件を記憶する記憶手段と、
前記記憶手段に記憶された撮影条件に基づいて、撮影条件の選択傾向情報を導出する導出手段と、
を備え、
前記制御手段は、前記撮影実行手段により前記通常撮影モードでの前記撮影処理を実行させる際に、前記導出手段により導出された前記選択傾向情報に基づいて前記撮影条件の設定を行なうように前記設定手段を制御する
デジタルカメラ。
【請求項２】
前記導出手段は、前記記憶手段に記憶された前記撮影条件のうち、同じ条件の数に応じた標準偏差を選択傾向情報として導出し、
前記制御手段は、前記通常撮影モードでの前記撮影処理を実行する際に、前記標準偏差が予め設定した閾値よりも小さい場合には、前記連続撮影モードに切換えることを特徴とする請求項１記載のデジタルカメラ。
【請求項３】
前記導出手段は、前記記憶手段に記憶された露光時間に基づいて、最適露光時間を選択傾向情報として導出し、
前記制御手段は、前記設定手段において導出した露光時間と、前記最適露光時間との差の絶対値が予め設定した閾値よりも大きい場合には、前記連続撮影モードに切換えて前記撮影処理を実行することを特徴とする請求項１記載のデジタルカメラ。
【請求項４】
前記導出手段により導出する前記選択傾向情報に、少なくとも前記記憶手段に記憶された露光時間に基づく最適露光時間を含み、
前記制御手段は、前記最適露光時間を予め設定された閾値と比較して、比較結果に応じて前記設定手段による撮影条件の設定に用いるプログラム線図を切換えることを特徴とする請求項１〜３の何れか１項記載のデジタルカメラ。
【請求項５】
前記導出手段により導出する前記選択傾向情報に、少なくとも前記記憶手段に記憶された露光時間に基づく最適露光時間を含み、
前記設定手段は、前記露光時間として前記最適露光時間を設定し、当該最適露光時間に合わせて他の撮影条件を設定することを特徴とする請求項１又は請求項２記載のデジタルカメラ。
【請求項６】
前記導出手段により、前記記憶手段に記憶された前記撮影条件の頻度に応じた重み付け係数を前記選択傾向情報として導出し、
前記設定手段は、前記係数導出手段により導出された前記重み付け係数を用いて露光時間及び増幅率の設定を行なうことを特徴とする請求項１〜３の何れか１項記載のデジタルカメラ。
【請求項７】
複数の撮影者の識別情報を記憶する識別情報記憶手段と、
撮影者識別情報を取得するための取得手段と、
を更に備え、
前記記憶手段は、前記識別情報記憶手段に記憶された撮影者毎に前記撮影条件を記憶し、
前記制御手段は、前記取得手段により取得された撮影者識別情報と前記識別情報記憶手段に記憶された識別情報とに基づいて撮影者を特定し、前記記憶手段の特定した撮影者に応じた記憶領域を対象として撮影処理を実行することを特徴とする請求項１〜６の何れか１項記載のデジタルカメラ。
【請求項８】
前記取得手段は、撮影者の指紋画像を示す指紋データを取得し、
前記識別情報記憶手段は、前記撮影者毎に前記取得手段により取得される指紋データを関連付けて更に記憶し、
前記制御手段は、前記取得手段により取得された指紋データと前記識別情報記憶手段に記憶された指紋データの相関が予め設定した閾値よりも高い場合に当該指紋データと関連付けされた撮影者を撮影者として特定することを特徴とする請求項７記載のデジタルカメラ。
【発明の詳細な説明】
【技術分野】
【０００１】
本発明は、撮像により被写体像を示すデジタル画像データを取得するデジタルカメラに関する。
【背景技術】
【０００２】
デジタルカメラにはシャッターボタンが設けられており、デジタルカメラにより撮影を行なう際には、当該シャッターボタンを押圧することにより撮影タイミングを指示する。
【０００３】
このシャッターボタンの押圧動作は、デジタルカメラ自体が動いてしまうことにより被写体像がぶれてしまう、所謂手ぶれを誘発することが知られている。
【０００４】
従来、手ぶれによる被写体像のぶれを防止すべく、例えば特許文献１のように、撮像装置本体のぶれ量を検出して手ぶれ量として記憶しておき、手ぶれ量に応じて露出モードのプログラム線をシフトさせることが提案されている。
【０００５】
また、特許文献２のように、被写体の動く速さを検出し、被写体の早さに応じて撮影感度を変更することも提案されている。
【０００６】
さらに、特許文献３のように、ユーザが連写を指示した場合に、絞り値一定で露出を変えずにシャッター速度と撮影感度の組合せを変更して複数回撮影を行い、複数枚の画像を取得することも提案されている。
【０００７】
また、特許文献４のように、撮影条件又は撮影した画像に基づいて連写を実行するか否かを判断すると共に、取得した複数の画像のうち、どの画像を記録するかをカメラ側で判断することも提案されている。
【特許文献１】特開２００６−３３０１５９公報
【特許文献２】特開２００４−１２０５７６公報
【特許文献３】特開２００３−５１９８２公報
【特許文献４】特開２００１−８０８７公報
【発明の開示】
【発明が解決しようとする課題】
【０００８】
しかしながら、上記特許文献１及び特許文献２の技術では、撮影条件を設定する際に、手ぶれ量に応じて一対一の補正量を適用しており、上記特許文献４の技術では、カメラ側で記録する画像を選択するために、何れにしても、ユーザ毎の個人差やユーザの好みを反映させることができない、という問題点があった。
【０００９】
すなわち、手ぶれ量の個人差は大きいため、手ぶれ量に応じて一対一の補正量を適用すると、過剰に感度が高くなって画質が劣化する恐れがある。この画質劣化と被写体像のぶれの許容範囲はユーザの好みによって決まるものであり、必ずしも好みの画像が撮影可能になるとは限らない。
【００１０】
なお、特許文献３の技術では、ユーザが連写を設定しない限り、複数の撮影条件での撮影は行なわれないため、好みの画像を得るためには、毎回連写を設定して複数の画像を撮影する必要がある。
【００１１】
本発明は上記問題点を解決するためになされたものであり、個人差の大きい手ぶれ量とユーザの好みを加味して撮影条件を設定することができるデジタルカメラを提供することを目的とする。
【課題を解決するための手段】
【００１２】
上記目的を達成するために、請求項１の発明は、被写体像を示すデジタル画像データを取得するための撮像素子と、前記撮像手段を介したデジタル画像データの取得タイミングを指示するための入力手段と、前記撮像素子への露光時間を制御する露光制御手段と、前記撮像素子を介してデジタル画像データを取得する際の増幅率を予め設定された複数の増幅率の何れかに切換える切換え手段と、前記入力手段により撮影指示が入力された場合に、前記露光時間及び前記増幅率を含む撮影条件を導出して設定する設定手段と、前記入力手段による１回の撮影指示に応じて、１のデジタル画像データを取得する通常撮影モードと、連続して複数のデジタル画像データを順次取得する連続撮影モードと、の何れかで撮影処理を実行する撮影実行手段と、前記撮影実行手段により前記連続撮影モードでの前記撮影処理を実行させる際に、前記設定手段により、露出は一定で前記露光時間及び前記増幅率が互いに異なるデジタル画像データを取得するように前記設定手段により撮影条件を設定し、１のデジタル画像データを取得する毎に増幅率及び露光時間を変更するように前記切換え手段及び前記露光制御手段を制御する制御手段と、前記撮像素子を介した撮影により取得された複数のデジタル画像データのうちの何れか１つを選択するための選択手段と、前記選択手段による選択結果に応じて、選択されたデジタル画像データが取得されたときの前記露光時間及び前記増幅率等の撮影条件を記憶する記憶手段と、前記記憶手段に記憶された撮影条件に基づいて、撮影条件の選択傾向情報を導出する導出手段と、を備え、前記制御手段は、前記撮影実行手段により前記通常撮影モードでの前記撮影処理を実行させる際に、前記導出手段により導出された前記選択傾向情報に基づいて前記撮影条件の設定を行なうように前記設定手段を制御する。
【００１３】
請求項１記載の発明によれば、撮像素子への露光時間と、撮像素子を用いてデジタル画像データを取得する際の増幅率と、が変更可能である。また、１回の撮影指示に応じて、１のデジタル画像データを取得する通常撮影モードと、複数のデジタル画像データを取得する連続撮影モードと、の何れかを選択的に実行可能とされている。
【００１４】
ここで、本発明では、連続撮影モードでの撮影処理では、撮影条件のうち、露出は一定となるように露光時間及び増幅率を互いに異ならせて複数のデジタル画像データを取得し、取得したデジタル画像データのうち、何れか１つを選択させ、選択されたデジタル画像データの撮影条件を記憶する。
【００１５】
さらに、記憶した撮影条件に基づいて選択傾向情報を導出し、通常撮影モードでの撮影処理において撮影条件を設定する際に、導出した選択傾向情報を加味するようにしている。
【００１６】
したがって、デジタルカメラのユーザの撮影条件の選択傾向を学習することができ、ユーザに合わせた撮影条件を設定することができる。
【００１７】
このように、請求項１記載の発明によれば、個人差の大きい手ぶれ量とユーザの好みを加味して撮影条件を設定することができる。
【００１８】
本発明は、請求項２記載の発明のように、前記導出手段は、前記記憶手段に記憶された前記撮影条件のうち、同じ条件の数に応じた標準偏差を選択傾向情報として導出し、前記制御手段は、前記通常撮影モードでの前記撮影処理を実行する際に、前記標準偏差が予め設定した閾値よりも小さい場合には、前記連続撮影モードに切換えるようにすることもできる。
【００１９】
また、本発明は、請求項３記載の発明のように、前記導出手段は、前記記憶手段に記憶された露光時間に基づいて、最適露光時間を選択傾向情報として導出し、前記制御手段は、前記設定手段において導出した露光時間と、前記最適露光時間との差の絶対値が予め設定した閾値よりも大きい場合には、前記連続撮影モードに切換えて前記撮影処理を実行するようにしてもよい。
【００２０】
更に、本発明は、請求項４記載の発明のように、前記導出手段により導出する前記選択傾向情報に、少なくとも前記記憶手段に記憶された露光時間に基づく最適露光時間を含み、前記制御手段は、前記最適露光時間を予め設定された閾値と比較して、比較結果に応じて前記設定手段による撮影条件の設定に用いるプログラム線図を切換えるようにすることもできる。
【００２１】
本発明は、請求項５記載の発明のように、前記導出手段により導出する前記選択傾向情報に、少なくとも前記記憶手段に記憶された露光時間に基づく最適露光時間を含み、前記設定手段は、前記露光時間として前記最適露光時間を設定し、当該最適露光時間に合わせて他の撮影条件を設定することもできる。
【００２２】
本発明は、請求項６記載の発明のように、前記導出手段により、前記記憶手段に記憶された前記撮影条件の頻度に応じた重み付け係数を前記選択傾向情報として導出し、前記設定手段は、前記係数導出手段により導出された前記重み付け係数を用いて露光時間及び増幅率の設定を行なうようにしてもよい。
【００２３】
また、本発明は、請求項７記載の発明のように、複数の撮影者の識別情報を記憶する識別情報記憶手段と、撮影者識別情報を取得するための取得手段と、を更に備え、前記記憶手段は、前記識別情報記憶手段に記憶された撮影者毎に前記撮影条件を記憶し、前記制御手段は、前記取得手段により取得された撮影者識別情報と前記識別情報記憶手段に記憶された識別情報とに基づいて撮影者を特定し、前記記憶手段の特定した撮影者に応じた記憶領域を対象として撮影処理を実行してもよい。
【００２４】
更に、本発明は、請求項８記載の発明のように、前記取得手段は、撮影者の指紋画像を示す指紋データを取得し、前記識別情報記憶手段は、前記撮影者毎に前記取得手段により取得される指紋データを関連付けて更に記憶し、前記制御手段は、前記取得手段により取得された指紋データと前記識別情報記憶手段に記憶された指紋データの相関が予め設定した閾値よりも高い場合に当該指紋データと関連付けされた撮影者を撮影者として特定するようにしてもよい。
【発明の効果】
【００２５】
以上説明したように、本発明によれば、個人差の大きい手ぶれ量とユーザの好みを加味して撮影条件を設定することができる、という優れた効果を有する。
【発明を実施するための最良の形態】
【００２６】
以下、図面を参照して、本発明を実施するための最良の形態について詳細に説明する。
（第１実施形態）
まず、図１を参照して、本形態に係るデジタルカメラ１０の外観上の構成を説明する。
【００２７】
同図に示すように、デジタルカメラ１０の正面には、被写体像を結像させるためのレンズ１２と、撮影する被写体の構図を決定するために用いられるファインダ７０と、が備えられている。また、デジタルカメラ１０の上面には、撮影を実行する際に撮影者によって押圧操作されるレリーズボタン（所謂シャッター）５６Ａと、電源スイッチ５６Ｂと、が備えられている。
【００２８】
なお、本実施の形態に係るレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２９】
そして、本実施の形態に係るデジタルカメラ１０では、レリーズボタン５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００３０】
一方、デジタルカメラ１０の背面には、前述のファインダ７０の接眼部と、撮影によって得られたデジタル画像データにより示される被写体像や各種メニュー画面、メッセージ等を表示するための液晶ディスプレイ（以下、「ＬＣＤ」という。）３０と、撮影を行うモードである撮影モード及び撮影によって得られたデジタル画像データにより示される被写体像をＬＣＤ３０に表示（再生）するモードである再生モードの何れかのモードに設定するためにスライド操作されるモード切替スイッチ５６Ｃと、ＬＣＤ３０の表示領域における上・下・左・右の４方向の移動方向を示す４つの矢印キーを含んで構成された十字カーソルボタン５６Ｄと、が備えられている。
【００３１】
また、デジタルカメラ１０の背面には、ＬＣＤ３０にメインメニュー画面を表示する際に押圧操作されるメニューキー５６Ｅと、メニュー画面で指定された処理を実行する際に押圧操作される実行キー５６Ｆと、各種操作を中止（キャンセル）する際に押圧操作されるキャンセルキー５６Ｇと、が備えられている。
【００３２】
次に、図２を参照して、本実施の形態に係るデジタルカメラ１０の電気系の構成を説明する。同図に示されるように、デジタルカメラ１０は、デジタルカメラ１０全体の動作を司るＣＰＵ（中央処理装置）３２と、ＣＰＵ３２による各種処理の実行時のワークエリア等として用いられる第１メモリ３８と、主として撮影により得られたデジタル画像データを記憶する第２メモリ４０と、を含んで構成されている。これらＣＰＵ３２、第１メモリ３８、第２メモリ４０各々バスＢＵＳを介して相互に接続されている。
【００３３】
従って、ＣＰＵ３２では、第１メモリ３８及び第２メモリ４０へのアクセスと、メディアコントローラ４２を介した記録メディア４２Ａへのアクセスと、をそれぞれ行うことができる。
【００３４】
なお、第１メモリ３８は、例えば、ＳＤＲＡＭ（Synchronous Dynamic Random Access Memory）により、第２メモリ４０は、例えば、ＶＲＡＭ（Video RAM）により、それぞれ構成することができる。
【００３５】
また、同図に示すように、デジタルカメラ１０は、前述のレンズ１２を含んで構成された光学ユニット１３と、レンズ１２の光軸後方に配設されたＣＣＤ１４と、相関二重サンプリング回路（以下、「ＣＤＳＡＭＰ」という。）１６と、入力されたアナログ信号をデジタルデータに変換するアナログ／デジタル変換器（以下、「ＡＤＣ」という。）１８と、を含んで構成されており、ＣＣＤ１４の出力端子はＣＤＳＡＭＰ１６の入力端子に、ＣＤＳＡＭＰ１６の出力端子はＡＤＣ１８の入力端子に、各々接続されている。
【００３６】
ここで、ＣＤＳＡＭＰ１６による相関二重サンプリング処理は、固体撮像素子の出力信号に含まれるノイズ（特に熱雑音）等を軽減することを目的として、固体撮像素子の１画素毎の出力信号に含まれるフィードスルー成分レベルと画素信号成分レベルとの差をとることにより正確な画素データを得る処理である。
【００３７】
また、ＣＤＳＡＭＰ１６には、増幅器が内蔵されており、ＣＣＤ１４から入力された画像信号は、相関二重サンプリング処理が施されると共に、所定の増幅率で増幅されて出力される。
【００３８】
一方、デジタルカメラ１０は、所定容量のラインバッファを内蔵すると共に入力されたデジタル画像データを第２メモリ４０の所定領域に直接記憶させる制御を行う画像入力コントローラ２０と、デジタル画像データに対して各種画像処理を施す画像信号処理回路２２と、所定の圧縮形式でデジタル画像データに圧縮処理を施す一方、圧縮処理されたデジタル画像データに伸張処理を施す圧縮・伸張処理回路２４と、デジタル画像データにより示される画像やメニュー画面等をＬＣＤ３０に表示させるための信号を生成してＬＣＤ３０に供給する表示制御回路２８と、を含んで構成されている。なお、画像入力コントローラ２０の入力端子はＡＤＣ１８の出力端子に接続されている。
【００３９】
また、デジタルカメラ１０は、ＡＦ機能を働かせるために必要とされる物理量を検出するＡＦ検出回路３４と、ＡＥ機能及びＡＷＢ（Automatic White Balance）機能を働かせるために必要とされる物理量（本実施の形態では、ＣＣＤ１４による撮像によって得られた画像の明るさを示す輝度情報と、色差情報）を検出するＡＥ・ＡＷＢ検出回路３６と、を含んで構成されている。
【００４０】
更に、デジタルカメラ１０は、本体に着脱可能な記録メディア４２Ａをデジタルカメラ１０でアクセス可能とするためのメディアコントローラ４２と、デジタルカメラ１０に接続された外部機器との間の所定インタフェース規格（例えば、ＵＳＢ（Universal Serial Bus）規格）による通信を司る外部機器インタフェース６４をと、を含んで構成されている。
【００４１】
以上の画像入力コントローラ２０、画像信号処理回路２２、圧縮・伸張処理回路２４、表示制御回路２８、ＡＦ検出回路３４、ＡＥ・ＡＷＢ検出回路３６、メディアコントローラ４２及び外部機器インタフェース６４は、各々ＣＰＵ３２等が接続された上述のバスＢＵＳを介して相互に接続されている。
【００４２】
従って、ＣＰＵ３２は、画像入力コントローラ２０、画像信号処理回路２２、圧縮・伸張処理回路２４、及び表示制御回路２８の各々の作動の制御と、ＡＦ検出回路３４及びＡＥ・ＡＷＢ検出回路３６により検出された物理量の取得と、メディアコントローラ４２を介した記録メディア４２Ａへのアクセスと、外部機器インタフェース６４に接続されたＰＣやプリンタ等の外部機器との間の通信と、を各々行うことができる。
【００４３】
一方、デジタルカメラ１０には、主としてＣＣＤ１４を駆動させるためのタイミング信号を生成してＣＣＤ１４に供給するタイミングジェネレータ４８が設けられている。当該タイミングジェネレータ４８の入力端子はＣＰＵ３２に、出力端子はＣＣＤ１４に各々接続されており、ＣＣＤ１４の駆動は、ＣＰＵ３２によりタイミングジェネレータ４８を介して制御される。
【００４４】
また、前述のレリーズボタン５６Ａ、電源スイッチ５６Ｂ、モード切替スイッチ５６Ｃ、十字カーソルボタン５６Ｄ、メニューキー５６Ｅ、実行キー５６Ｆ及びキャンセルキー５６Ｇを含む操作部５６はＣＰＵ３２に接続されており、ＣＰＵ３２は、これら操作部５６の各々に対する操作状態を常時把握できる。
【００４５】
さらに、本実施の形態に係る光学ユニット１３に含まれるレンズ１２は複数枚のレンズを有し、焦点距離の変更（変倍）が可能なズームレンズとして構成されており、ズームモータ５０Ａ、焦点調整モータ５０Ｂ及び絞り駆動モータ５０Ｃを含んで構成されるレンズ駆動機構を備えている。モータ駆動部５０Ａ、５０Ｂ、５０Ｃの出力端子はズームモータ１３Ａ、焦点調整モータ１３Ｂ及び絞り駆動モータ１３Ｃに接続されている。
【００４６】
これらのモータ駆動部５０Ａ、５０Ｂ、５０Ｃの入力端子は、ＣＰＵ３２にそれぞれ接続されており、レンズ駆動機構を構成するズームモータ１３Ａ、焦点調整モータ１３Ｂ及び絞り駆動モータ１３Ｃは各々ＣＰＵ３２の制御下でモータ駆動部５０から供給された駆動信号によって駆動される。
【００４７】
ＣＰＵ３２は、光学ズーム倍率を変更する際にはズームモータ１３Ａを駆動制御して光学ユニット１３に含まれるレンズ１２の焦点距離を変化させる。
【００４８】
ここで、ＣＰＵ３２は、ＣＣＤ１４による撮像によって得られた画像のコントラストが最大となるように上述の焦点調整モータ１３Ｂを駆動制御することにより合焦制御を行う。すなわち、本実施の形態に係るデジタルカメラ１０では、合焦制御として、上記ＡＦ検出回路３４により、ＣＣＤ１４による撮像によって得られた画像の輝度の高周波成分を示す評価値を検出し、検出された評価値に基づいて、読み取られた画像のコントラストが最大となるようにレンズの位置を設定する、所謂ＴＴＬ（Through The Lens）方式によるコントラストＡＦ制御を実行可能である。
【００４９】
また、ＣＰＵ３２は、ＡＥ・ＡＷＢ検出回路３６による検出結果に基づいて露出状態を設定する、ＡＥ制御を実行する。なお、露出状態は、絞り、シャッタースピード、撮影感度等の相互関係によって決まる。
【００５０】
本実施の形態では、ＣＣＤ１４を用いた撮影における撮影感度を、予め設定された複数種類（例えば、ＩＳＯ１００、ＩＳＯ２００、ＩＳＯ４００、ＩＳＯ８００、ＩＳＯ１６００、ＩＳＯ３２００の６種類）のうちの１つを選択して設定する機能を有している。
【００５１】
なお、感度の選択及び設定は、デジタルカメラ１０のＣＰＵ３２により撮影時に自動的に行なうこともできるし、メニュースイッチ５６Ｅの操作に応じてＬＣＤ３０に感度設定用の画面を表示したり、別途撮影感度設定用の専用のスイッチを設けたりして、ユーザによる感度の選択を可能に構成し、ユーザによる選択結果に応じて設定することもできる。
【００５２】
また、撮影感度の変更は、ＣＤＳＡＭＰ１６に内蔵され、ＣＣＤ１４から出力された画像信号を増幅する増幅器の増幅率を変更したり、光学ユニット１３に設けられた絞りモータ１３Ｃを駆動してＣＣＤ１４への入射光量を変更したりすることにより実行できる。さらに、これらの２つの手法を組み合わせて撮影感度の変更を実行することもできる。
【００５３】
ここで、本実施の形態に係るデジタルカメラ１０は、撮影モードで動作中の１回のレリーズボタン５６Ａの操作に応じて１のデジタル画像データを取得する通常撮影処理と、１回のレリーズボタン５６Ａの操作に応じて複数のデジタル画像データを順次取得する連続撮影処理と、を実行可能に構成されている。
【００５４】
本実施の形態では、連続撮影の実行が指示された場合、複数のデジタル画像データのそれぞれの取得時に感度を互いに異ならせる複数感度連続撮影処理を実行する。
【００５５】
図３には、本実施の形態に係る撮影処理のうち、特に撮影条件の設定に関する機能ブロック図が示されている。同図に示されるように、撮影処理を実行する撮影処理部３６では、操作部５６に対する操作状態に応じて、ＡＦ検出回路３４、ＡＥ・ＡＷＢ検出回路３６、第１メモリ３８及び第２メモリ４０等を用いて撮影処理を実行する。
【００５６】
ＡＥ・ＡＷＢ検出回路３６は、検出制御部８４、通常撮影用露出演算部８６、連続撮影用露出演算部８８を含んで構成されており、検出制御部８４では、撮影処理部８０で実行する撮影処理の内容（通常撮影処理又は連続撮影処理）に応じて、通常撮影用露出演算部８６又は連続撮影用露出演算部８８を選択的に用いて、撮影時の露出状態を導出する。
【００５７】
通常撮影用露出演算部８６により導出した露出状態は、撮影処理部８０に出力されて、撮影時の露出設定に用いられる。
【００５８】
一方、連続撮影用露出演算部８８により導出した露出状態は第１メモリ３８の連続撮影用露出記憶領域９２に一旦格納され、連続撮影処理時に順次読み出されて露出状態の設定に用いられる。
【００５９】
ここで、上記連続撮影用露出演算部８８では、上述したように、複数のデジタル画像データのそれぞれの取得時に感度を互いに異ならせるようにしている。
【００６０】
例えば、連続撮影用露出演算部８８では、連続撮影処理において、１回のレリーズボタン５６Ａの操作に応じて画像３枚分のデジタル画像データを連続して取得する場合に、１番目のデジタル画像データ取得時の露出状態を感度ＩＳＯ４００、シャッタースピード１／６０として、２番目のデジタル画像データ取得時の露出状態を感度ＩＳＯ８００、シャッタースピード１／３０として、３番目のデジタル画像データ取得時の露出状態を感度ＩＳＯ１６００、シャッタースピード１／１５として、それぞれ導出する。
【００６１】
すなわち、連続撮影処理の露出演算時には、感度を２倍にする場合はシャッタースピードも２倍にするなど、前の撮影と感度を変更する場合はシャッタースピードで、シャッタースピードを変更する場合は感度で、それぞれ露出変化分を補填して、撮影画像間の露出のずれがないように演算するようにしている。
【００６２】
図４（Ａ）〜（Ｃ）は連続撮影処理によりそれぞれ異なる感度の露出状態を設定して同じ被写体像を撮影して取得されたデジタル画像データにより示される３枚の画像がそれぞれ一例として示されている。同図（Ａ）は感度ＩＳＯ４００、シャッタースピード１／６０が、（Ｂ）は感度ＩＳＯ８００、シャッタースピード１／３０が、（Ｃ）は感度ＩＳＯ１６００、シャッタースピード１／１５が、それぞれ設定された場合を示している。
【００６３】
同図に示されるように、シャッタースピードが遅くなるほど被写体の輪郭がぶれるが、ノイズの影響が小さく、シャッタースピードが速くなるほど被写体のぶれは少なくなるがノイズの影響が大きくなる。
【００６４】
なお、手ぶれの量には個人差があるために、被写体像のぶれの大きさは、ユーザ毎に異なる。このため、手ぶれ量の少ないユーザは（Ａ）の露出状態が最適であると感じ、手ぶれ量の多いユーザは（Ｂ）や（Ｃ）の露出状態が最適であると感じる傾向にある。
【００６５】
そこで、本実施の形態では、撮影処理部８０は、選択処理部８１及び撮影条件データ管理部８２を含んで構成されている。
【００６６】
選択処理部８１では、連続撮影処理により取得された複数のデジタル画像データにより示される画像をＬＣＤ３０に表示すると共に、ＬＣＤ３０に表示した複数の画像のうち、ユーザの好みの画像を操作部５６による操作により選択させる処理を実行する。なお、当該選択処理部８１では、ユーザの選択結果を撮影条件データ管理部８２に出力する。
【００６７】
撮影条件データ管理部８２では、選択結果に基づいて、ユーザが好む画像のデジタル画像データ取得時の露出状態を撮影条件として撮影条件データ記憶領域９４に記憶する。
【００６８】
また、撮影条件データ管理部８２は、選択傾向情報設定部９６を含んで構成されており、当該選択傾向情報導出部９６では、撮影条件データ記憶領域９４に格納されたユーザの好みの画像を得たときの撮影条件に基づいて、優先すべき撮影条件を導出する。
【００６９】
例えば、シャッタースピードが長くなってもよいから感度は高くしたくない場合は、感度を優先して露出を導出するような撮影条件を設定する。一方、感度を高くしてもよいからシャッタースピードは短くしたい場合は、シャッタースピードを優先して露出を導出するような撮影条件を設定する。ここでは、極端な例を挙げたが、撮影条件記憶領域９４に格納されるデータが多いほど、ユーザが好む画像が得られる選択傾向情報を設定することができる。
【００７０】
選択傾向情報設定部９６で設定された選択傾向情報は、通常撮影処理時の露出の導出時に用いられる。
【００７１】
なお、選択処理部８１による選択結果に基づいて、撮影処理部８０により、連続撮影処理によって得られた画像の代表画像を決定し、画像の再生時等に当該代表画像が表示されるように第２メモリに一時的に記憶された複数のデジタル画像データを変更して記録メディア４２Ａに格納するようにしてもよい。
【００７２】
次に、本実施の形態に係るデジタルカメラ１０の作用を説明する。
【００７３】
デジタルカメラ１０における撮影時の全体的な動作として、まず、ＣＣＤ１４による光学ユニット１３を介した撮像が行なわれ、被写体像を示す信号がＣＣＤ１４から順次出力される。そして、ＣＣＤ１４から出力された信号は順次ＣＤＳ１６に入力されて相関二重サンプリング処理が施された後にＡＤＣ１８に入力され、ＡＤＣ１８は、ＣＤＳ１６から入力されたＲ（赤）、Ｇ（緑）、Ｂ（青）の信号を各々１２ビットのＲ、Ｇ、Ｂ信号（デジタル画像データ）に変換して画像入力コントローラ２０に出力する。
【００７４】
画像入力コントローラ２０は内蔵しているラインバッファにＡＤＣ１８から順次入力されるデジタル画像データを蓄積して一旦第２メモリ４０の所定領域に格納する。
【００７５】
第２メモリ４０の所定領域に格納されたデジタル画像データは、ＣＰＵ３２による制御下で画像信号処理回路２２によって読み出され、これらにＡＥ・ＡＷＢ検出回路３６により検出された物理量に応じたデジタルゲインをかけることでホワイトバランス調整を行なうと共に、ガンマ処理及びシャープネス処理を行なって８ビットのデジタル画像データを生成し、更にＹＣ信号処理を施して輝度信号Ｙとクロマ信号Ｃｒ、Ｃｂ（以下、「ＹＣ信号」という。）を生成し、ＹＣ信号を第２メモリ４０の上記所定領域とは異なる領域に格納する。
【００７６】
なお、ＬＣＤ３０は、ＣＣＤ１４による連続的な撮像によって得られた動画像（スルー画像）を表示してファインダとして使用することができるものとして構成されているが、このようにＬＣＤ３０をファインダとして使用する場合には、生成したＹＣ信号を、表示制御回路２８を介して順次ＬＣＤ３０に出力する。これによってＬＣＤ３０にスルー画像が表示されることになる。
【００７７】
ここで、レリーズボタン５６Ａがユーザによって半押し状態とされた場合、前述のようにＡＥ機能が働いて露出状態が設定された後、ＡＦ機能が働いて合焦制御され、その後、引き続き全押し状態とされた場合、この時点で第２メモリ４０に格納されているＹＣ信号を、圧縮・伸張処理回路２４によって所定の圧縮形式で圧縮した後に記録メディア４２Ａに画像ファイルとして記録する。
【００７８】
図５は、撮影モードが設定されている場合にデジタルカメラ１０のＣＰＵ３２により所定期間毎に実行される撮影処理プログラムの処理の流れを示すフローチャートである。以下、同図を参照して本実施の形態に係る撮影処理について説明する。
【００７９】
まず、ステップ１０２では、撮影モードを読み出し、次のステップ１０４では、連続撮影モードが設定されているか否かを判定する。
【００８０】
ステップ１０４で肯定判定となった場合はステップ１０６に移行して、連続撮影処理を実行し、その後に本撮影処理を終了する。
【００８１】
一方、ステップ１０４で否定判定となった場合はステップ１０８に移行して、通常撮影処理を実行し、その後に本撮影処理を終了する。
【００８２】
図６には、上記ステップ１０６で実行される連続撮影処理の流れが示されている。以下、同図を参照して、本実施の形態に係る連続撮影処理について説明する。
【００８３】
まず、ステップ１１０では、撮影モードに応じた制御パラメータを設定し、次のステップ１１２では、レリーズボタン５６Ａが半押し状態とされたことを示す操作信号の入力待ちを行う。
【００８４】
なお、上記撮影モードに応じた制御パラメータとしては、ＡＥ・ＡＷＢ検出回路３６において用いる露出演算部（図３参照）の選択情報や、１回のレリーズボタンで取得するデジタル画像データの数（例えば、「３」）等のパラメータを適用することができる。
【００８５】
次のステップ１１４では、ＣＣＤ１４を用いて取得したデジタル画像データの輝度情報に基づいて感度設定を行い、その後にステップ１１６に移行して、設定した感度での測光を行い、その後にステップ１１８に移行する。
【００８６】
ステップ１１８では、レリーズボタン５６Ａが全押し状態とされたことを示す操作信号の入力待ちを行う。
【００８７】
次のステップ１２０では、この時点で設定されている感度での測光結果に基づいて露出状態が適正になるようにシャッタースピードの設定を行う。
【００８８】
次のステップ１２２では、設定した感度及びシャッタースピードで静止画像を取得し、次のステップ１２４に移行して、所定枚数分の静止画像データを取得したか否かを判定する。
【００８９】
ステップ１２４で否定判定となった場合はステップ１２６に移行して、次の撮影用の感度設定を行い、その後にステップ１２７に移行して、設定した感度での測光を行い、その後に再びステップ１２０に戻る。
【００９０】
一方、ステップ１２４で肯定判定となるとステップ１２８に移行して、取得した複数の静止画像データにより示される静止画像をＬＣＤ３０に表示した後にステップ１３０に移行して、何れか１枚の静止画像の選択待ちを行う。
【００９１】
次のステップ１３２では、選択結果に基づいて取得した静止画像データを記録メディア４２Ａに記憶し、その後にステップ１３４に移行して、選択結果に基づいて静止画像データ取得時の撮影条件を第１メモリ３８に記憶し、本連続撮影処理を終了する。
【００９２】
なお、例えば、連続撮影処理により取得した複数の静止画像をＬＣＤ３０に表示する際に、ユーザが最も高く評価する静止画像を選択することを促すメッセージ等を表示した場合は、選択された静止画像を複数枚の静止画像の代表画像として記録メディアに記録することができる。
【００９３】
また、この場合、第１メモリ３８に、選択された静止画像のデジタル画像データを取得したときの撮影条件を最もユーザが好む撮影条件として記憶することができる。
【００９４】
このようにして、連続撮影処理において第１メモリ３８に記憶された撮影条件データは、通常撮影処理における撮影条件の設定時に利用することができる。
【００９５】
図７には、上記ステップ１０８で実行される通常撮影処理の流れが示されている。以下、同図を参照して、本実施の形態に係る通常撮影処理について説明する。
【００９６】
まず、ステップ１４０では、撮影モードに応じた制御パラメータを設定する。なお、上記撮影モードに応じた制御パラメータとしては、ＡＥ・ＡＷＢ検出回路３６において用いる露出演算部（図３参照）の選択情報や、１回のレリーズボタンで取得するデジタル画像データの数（ここでは、「１」）等のパラメータを適用することができる。
【００９７】
次のステップ１４２では、第１メモリ３８から撮影条件データを読み出し、その後にステップ１４６に移行して、読み出した撮影条件データに基づいて選択傾向情報を設定し、その後にステップ１４８に移行する。
【００９８】
ステップ１４８では、レリーズボタン５６Ａが半押し状態とされたことを示す操作信号の入力待ちを行い、次のステップ１５０では、選択傾向情報を加味して撮影条件を設定し、その後にステップ１５２に移行する。
【００９９】
ステップ１５２では、レリーズボタン５６Ａが全押し状態とされたことを示す操作信号の入力待ちを行い、次のステップ１５４では、静止画像データを取得し、その後にステップ１５６に移行して、記録メディア４２Ａにデジタル画像データを記憶させた後に本通常撮影処理を終了する。
【０１００】
このように、本第１実施形態によれば、ＣＣＤ１４への露光時間を決定するシャッタースピードと、撮影感度（ＣＣＤ１４を用いて取得した画像信号の増幅率）と、が変更可能であり、１回の撮影指示に応じて、１のデジタル画像データを取得する通常撮影モードと、複数のデジタル画像データを取得する連続撮影モードと、の何れかを選択的に実行すると共に、連続撮影モードでの撮影処理では、撮影条件のうち、露光時間及び増幅率を互いに異ならせて複数のデジタル画像データを取得し、取得したデジタル画像データのうち、何れか１つを選択させ、選択されたデジタル画像データの撮影条件を記憶し、記憶した撮影条件に基づいて選択傾向情報を導出し、通常撮影モードでの撮影処理において撮影条件を設定する際に、導出した選択傾向情報を加味するので、ユーザに最適な撮影条件を学習することができ、個々のユーザに合わせた撮影条件が導出できる。
【０１０１】
また、シャッタースピードと感度の組合せを複数用いるため、手ぶれ量に個人差があっても適正なシャッタースピードと感度で撮影した画像を残すことができ、撮影画像のぶれを抑えると共に、必要以上に感度をあげることによる画質劣化を抑制できる。
【０１０２】
さらに、ぶれのない画像と、ぶれがあってもノイズが少なくて画質のよい画像と、のどちらを優先させるか、など、ユーザ毎に異なる好みにも対応できる。
（第２実施形態）
上記第１実施形態では、通常撮影処理において、連続撮影処理により記憶された撮影条件データに基づいて選択傾向情報を導出し、当該選択傾向情報を加味して撮影条件を設定する形態について説明したが、本第２実施形態では、連続撮影処理において、最適シャッタースピードを導出して第１メモリ３８に記憶しておき、当該最適シャッタースピードに基づいて通常撮影処理を実行する形態について説明する。
【０１０３】
なお、本第２実施形態のデジタルカメラの構成において、上記第１実施形態のデジタルカメラ１０の構成と同一の構成については同一の符号を付し、その図示及び説明を省略する。
【０１０４】
図８には、本第２実施形態に係る撮影処理のうち、特に撮影条件の設定に関する機能ブロック図が示されている。同図に示されるように、本第２実施形態では、選択傾向情報導出部９６は、第１メモリ３８の最適シャッタースピード記憶領域９８と接続されている。
【０１０５】
また、選択傾向情報導出部９６では、撮影条件データ記憶領域９４に格納されたユーザの好みの画像を得たときの撮影条件に基づいて、撮影条件のうち、シャッタースピードを示すデータに基づいて、ユーザが好むシャッタースピードを最適シャッタースピードとして導出する。
【０１０６】
撮影条件記憶領域９４に格納されるデータが多いほど、ユーザが好むデジタル画像データが得られる最適シャッタースピードを導出することができ、例えば、ユーザが好むシャッタースピードとして最も多く選択されたシャッタースピードを最適シャッタースピードとして導出することができる。
【０１０７】
この選択傾向情報設定部９６で設定された最適シャッタースピードは、第１メモリ３８の最適シャッタースピード記憶領域９８に記憶され、通常撮影処理において用いられる。
【０１０８】
なお、最適シャッタースピード記憶領域９８に記憶された最適シャッタースピードは、連続撮影処理が実行される毎に更新記憶される。
【０１０９】
以下、本第２実施形態の作用を説明する。なお、本第２実施形態における撮影処理の流れは上記第１実施形態における撮影処理の流れ（図５参照）と同じであるので、その図示及び説明を省略し、以下では、同一のステップ番号を用いる。
【０１１０】
図９には、上記ステップ１０６で実行される連続撮影処理の流れが示されている。以下、同図を参照して、本第２実施形態に係る連続撮影処理について説明する。
【０１１１】
まず、ステップ２００では、撮影モードに応じた制御パラメータを設定し、次のステップ２０２では、レリーズボタン５６Ａが半押し状態とされたことを示す操作信号の入力待ちを行う。
【０１１２】
なお、上記撮影モードに応じた制御パラメータとしては、ＡＥ・ＡＷＢ検出回路３６において用いる露出演算部（図８参照）の選択情報や、１回のレリーズボタンで取得するデジタル画像データの数（例えば、「３」）等のパラメータを適用することができる。
【０１１３】
次のステップ２０４では、ＣＣＤ１４を用いて取得したデジタル画像データの輝度情報に基づいて感度設定を行い、その後にステップ２０６に移行して、設定した感度での測光を行い、その後にステップ２０８に移行する。
【０１１４】
ステップ２０８では、レリーズボタン５６Ａが全押し状態とされたことを示す操作信号の入力待ちを行う。
【０１１５】
次のステップ２１０では、この時点で設定されている感度での測光結果に基づいて露出状態が適正になるようにシャッタースピードの設定を行う。
【０１１６】
次のステップ２１２では、設定した感度及びシャッタースピードで静止画像を取得し、次のステップ２１４に移行して、所定枚数分の静止画像データを取得したか否かを判定する。
【０１１７】
ステップ２１４で否定判定となった場合はステップ２１６に移行して、次の撮影用の感度設定を行い、その後にステップ２１７に移行して、設定した感度での測光を行い、その後に再びステップ２１０に戻る。
【０１１８】
一方、ステップ２１４で肯定判定となるとステップ２１８に移行して、取得した複数の静止画像データにより示される静止画像をＬＣＤ３０に表示した後にステップ２２０に移行して、何れか１枚の静止画像の選択待ちを行う。
【０１１９】
次のステップ２２２では、選択結果に基づいて取得した静止画像データを記録メディア４２Ａに記憶し、その後にステップ２２４に移行して、選択結果に基づいて静止画像データ取得時の撮影条件を第１メモリ３８の撮影条件データ記憶領域９４に記憶した後に、ステップ２２６に移行する。
【０１２０】
ステップ２２６では、最適シャッタースピードを導出して第１メモリ３８の最適シャッタースピード記憶領域９８に記憶された最適シャッタースピードを更新記憶して、その後に本連続撮影処理を終了する。
【０１２１】
なお、例えば、連続撮影処理により取得した複数の静止画像をＬＣＤ３０に表示する際に、ユーザが最も高く評価する静止画像を選択することを促すメッセージ等を表示した場合は、選択された静止画像を複数枚の静止画像の代表画像として記録メディアに記録することができる。
【０１２２】
また、この場合、第１メモリ３８に、選択された静止画像のデジタル画像データを取得したときの撮影条件を最もユーザが好む撮影条件として記憶することができる。
【０１２３】
このようにして連続撮影処理において第１メモリ３８に記憶された最適シャッタースピードは、通常撮影処理における撮影条件の設定時に利用することができる。
【０１２４】
なお、手振れが小さいユーザほど、最適シャッタースピードは遅くなり、手振れが大きいユーザほど、最適シャッタースピードが早くなる傾向にある。
【０１２５】
図１０には、上記ステップ１０８で実行される通常撮影処理の流れが示されている。以下、同図を参照して、本第２実施形態に係る通常撮影処理について説明する。
【０１２６】
まず、ステップ２３０では、撮影モードに応じた制御パラメータを設定する。なお、上記撮影モードに応じた制御パラメータとしては、ＡＥ・ＡＷＢ検出回路３６において用いる露出演算部（図８参照）の選択情報や、１回のレリーズボタンで取得するデジタル画像データの数（ここでは、「１」）等のパラメータを適用することができる。
【０１２７】
次のステップ２３２では、第１メモリ３８から最適シャッタースピードを読み出し、その後にステップ２３４に移行して、読み出した最適シャッタースピードが所定の閾値以上か否かを判定する。
【０１２８】
ステップ２３４で肯定判定となった場合は、ユーザの好む静止画像を取得するためには、シャッタースピードは遅くしてもよいが、感度は高くしない方がよいと判断して、ステップ２３６に移行して、シャッタースピードよりも感度を優先して設定するプログラム線図１を参照するように設定し、その後にステップ２４０に移行する。
【０１２９】
一方、ステップ２３４で否定判定となった場合は、ユーザの好む静止画像を取得するためには、感度は高くしてもよいが、シャッタースピードは遅くしない方がよいと判断して、ステップ２３８に移行して、感度よりもシャッタースピード設定を優先して設定するプログラム線図２を参照するように設定し、その後にステップ２４０に移行する。
【０１３０】
ステップ２４０では、レリーズボタン５６Ａが半押し状態とされたことを示す操作信号の入力待ちを行い、次のステップ２４２では、参照すると設定したプログラム線図を参照して感度を設定し、その後にステップ２４４に移行する。
【０１３１】
ステップ２４４では、この時点で設定されている感度で測光を行い、次のステップ２４６では、測光結果に基づいて露出状態が適正になるようにシャッタースピードの設定を行う。
【０１３２】
次のステップ２４８では、レリーズボタン５６Ａが全押し状態とされたことを示す操作信号の入力待ちを行い、次のステップ２５０では、静止画像データを取得し、その後にステップ２５２に移行して、記録メディア４２Ａにデジタル画像データを記憶させた後に本通常撮影処理を終了する。
【０１３３】
このように、本第２実施形態によれば、ＣＣＤ１４への露光時間を決定するシャッタースピードと、撮影感度（ＣＣＤ１４を用いて取得した画像信号の増幅率）と、が変更可能であり、１回の撮影指示に応じて、１のデジタル画像データを取得する通常撮影モードと、複数のデジタル画像データを取得する連続撮影モードと、の何れかを選択的に実行すると共に、連続撮影モードでの撮影処理では、撮影条件のうち、露光時間及び増幅率を互いに異ならせて複数のデジタル画像データを取得し、取得したデジタル画像データのうち、何れか１つを選択させ、選択されたデジタル画像データの撮影条件を記憶し、記憶した撮影条件に基づいて最適シャッタースピードを導出し、通常撮影モードでの撮影処理において撮影条件を設定する際に、最適シャッタースピードの大きさに応じてプログラム線図を選択するので、個々のユーザに合わせた撮影条件が導出できる。
【０１３４】
なお、本第２実施形態では、プログラム線図を２種類として説明したが、プログラム線図を増やすことによりユーザに最適な撮影条件を学習させることもできる。
【０１３５】
また、連続撮影処理においては、シャッタースピードと感度の組合せを複数用いるため、手ぶれ量に個人差があっても適正なシャッタースピードと感度で撮影した画像を残すことができ、撮影画像のぶれを抑えると共に、必要以上に感度をあげることによる画質劣化を抑制できる。
【０１３６】
さらに、ぶれのない画像と、ぶれがあってもノイズが少なくて画質のよい画像と、のどちらを優先させるか、など、ユーザ毎に異なる好みにも対応できる。
（変形例１）
第２実施形態では、最適シャッタースピードを所定の閾値と比較して、比較結果に応じたプログラム線図を参照する形態について説明したが、変形例として、最適シャッタースピードをそのまま通常撮影処理における撮影条件のシャッタースピードとして適用する形態について説明する。
【０１３７】
図１１には、本変形例に係る通常撮影処理の流れが示されている。以下、同図を参照して、本変形例に係る通常撮影処理について説明する。
【０１３８】
まず、ステップ２６０では、撮影モードに応じた制御パラメータを設定する。なお、上記撮影モードに応じた制御パラメータとしては、ＡＥ・ＡＷＢ検出回路３６において用いる露出演算部（図８参照）の選択情報や、１回のレリーズボタンで取得するデジタル画像データの数（ここでは、「１」）等のパラメータを適用することができる。
【０１３９】
次のステップ２６２では、第１メモリ３８から最適シャッタースピードを読み出し、その後にステップ２６４に移行して、最適シャッタースピードをシャッタースピードとして設定した後に、ステップ２６６に移行する。
【０１４０】
ステップ２６６では、レリーズボタン５６Ａが半押し状態とされたことを示す操作信号の入力待ちを行い、次のステップ２６８では、この時点で設定されている感度で測光を行い、次のステップ２７０では、測光結果及びシャッタースピードに基づいて露出状態が適正になるように感度の設定を行う。
【０１４１】
次のステップ２７２では、レリーズボタン５６Ａが全押し状態とされたことを示す操作信号の入力待ちを行い、次のステップ２７４では、静止画像データを取得し、その後にステップ２７６に移行して、記録メディア４２Ａにデジタル画像データを記憶させた後に本通常撮影処理を終了する。
（第３実施形態）
本第３実施形態では、選択傾向情報として、各撮影条件の重み付け係数を導出する形態について説明する。
【０１４２】
なお、本第３実施形態のデジタルカメラの構成において、上記第１実施形態のデジタルカメラ１０の構成と同一の構成については同一の符号を付し、その図示及び説明を省略する。
【０１４３】
図１２には、本第２実施形態に係る撮影処理のうち、特に撮影条件の設定に関する機能ブロック図が示されている。同図に示されるように、本第３実施形態では、選択傾向情報導出部９６は、第１メモリ３８の重み付け係数記憶領域９９と接続されている。
【０１４４】
また、選択傾向情報導出部９６では、撮影条件データ記憶領域９４に格納された撮影条件に基づいて、ユーザの好みの画像を得たときの撮影条件が選択され易くなるような重み付け係数を導出する。
【０１４５】
なお、撮影条件データ記憶領域９４に多く記憶された撮影条件ほど、選択されやすくなるように、重み付け係数を導出する。したがって、撮影条件記憶領域９４に格納されるデータが多いほど、ユーザが好むデジタル画像データが得られる重み付け係数を導出することができる。
【０１４６】
この選択傾向情報設定部９６で設定された重み付け係数は、第１メモリ３８の重み付け係数記憶領域９９に記憶され、通常撮影処理における撮影条件の設定に用いられる。
【０１４７】
なお、重み付け係数記憶領域９９に記憶された各撮影条件の重み付け係数は、連続撮影処理が実行される毎に更新記憶される。
【０１４８】
以下、本第３実施形態の作用を説明する。なお、本第３実施形態における撮影処理の流れは上記第１実施形態における撮影処理の流れ（図５参照）と同じであるので、その図示及び説明を省略し、以下では、同一のステップ番号を用いる。
【０１４９】
図１３には、上記ステップ１０６で実行される連続撮影処理の流れが示されている。以下、同図を参照して、本第３実施形態に係る連続撮影処理について説明する。
【０１５０】
まず、ステップ３００では、撮影モードに応じた制御パラメータを設定し、次のステップ３０２では、レリーズボタン５６Ａが半押し状態とされたことを示す操作信号の入力待ちを行う。
【０１５１】
なお、上記撮影モードに応じた制御パラメータとしては、ＡＥ・ＡＷＢ検出回路３６において用いる露出演算部（図１２参照）の選択情報や、１回のレリーズボタンで取得するデジタル画像データの数（例えば、「３」）等のパラメータを適用することができる。
【０１５２】
次のステップ３０４では、ＣＣＤ１４を用いて取得したデジタル画像データの輝度情報に基づいて感度設定を行い、その後にステップ３０６に移行して、設定した感度での測光を行い、その後にステップ３０８に移行する。
【０１５３】
ステップ３０８では、レリーズボタン５６Ａが全押し状態とされたことを示す操作信号の入力待ちを行う。
【０１５４】
次のステップ３１０では、この時点で設定されている感度での測光結果に基づいて露出状態が適正になるようにシャッタースピードの設定を行う。
【０１５５】
次のステップ３１２では、設定した感度及びシャッタースピードで静止画像を取得し、次のステップ３１４に移行して、所定枚数分の静止画像データを取得したか否かを判定する。
【０１５６】
ステップ３１４で否定判定となった場合はステップ３１６に移行して、次の撮影用の感度設定を行い、その後にステップ３１７に移行して、設定した感度での測光を行い、その後に再びステップ３１０に戻る。
【０１５７】
一方、ステップ３１４で肯定判定となるとステップ３１８に移行して、取得した複数の静止画像データにより示される静止画像をＬＣＤ３０に表示した後にステップ３２０に移行して、何れか１枚の静止画像の選択待ちを行う。
【０１５８】
次のステップ３２２では、選択結果に基づいて取得した静止画像データを記録メディア４２Ａに記憶し、その後にステップ３２４に移行して、選択結果に基づいて静止画像データ取得時の撮影条件を第１メモリ３８の撮影条件データ記憶領域９４に記憶した後に、ステップ３２６に移行する。
【０１５９】
なお、例えば、連続撮影処理により取得した複数の静止画像をＬＣＤ３０に表示する際に、ユーザが最も高く評価する静止画像を選択することを促すメッセージ等を表示した場合は、選択された静止画像を複数枚の静止画像の代表画像として記録メディアに記録することができる。
【０１６０】
また、この場合、第１メモリ３８に、選択された静止画像のデジタル画像データを取得したときの撮影条件を最もユーザが好む撮影条件として記憶することができる。
【０１６１】
ステップ３２６では、第１メモリ３８に記憶した撮影条件データに基づいて撮影条件の重み付け係数を導出し、第１メモリ３８の重み付け係数記憶領域９９に記憶された各撮影条件についての重み付け係数を更新記憶し、その後に本連続撮影処理を終了する。
【０１６２】
このようにして連続撮影処理において第１メモリ３８に記憶された重み付け係数は、通常撮影処理における撮影条件の設定時に利用することができる。
【０１６３】
図１４には、本第３実施形態に係る通常撮影処理の流れが示されている。以下、同図を参照して、本第３実施形態に係る通常撮影処理について説明する。
【０１６４】
まず、ステップ３３０では、撮影モードに応じた制御パラメータを設定する。なお、上記撮影モードに応じた制御パラメータとしては、ＡＥ・ＡＷＢ検出回路３６において用いる露出演算部（図１２参照）の選択情報や、１回のレリーズボタンで取得するデジタル画像データの数（ここでは、「１」）等のパラメータを適用することができる。
【０１６５】
次のステップ３３２では、第１メモリ３８から各撮影条件についての重み付け係数を読み出しておき、その後にステップ３３４に移行して感度を設定した後に、ステップ３３６に移行する。
【０１６６】
ステップ３３６では、レリーズボタン５６Ａが半押し状態とされたことを示す操作信号の入力待ちを行い、次のステップ３３８では、この時点で設定されている感度で測光を行い、次のステップ３４０では、測光結果に基づいて露出状態が適正になるように感度の設定を行う。
【０１６７】
次のステップ３４２では、読み出した重み付け係数を適用して最適な撮影条件を導出し、その後にステップ３４４に移行して、重み付け係数を適用して導出した最適な撮影条件に応じてシャッタースピード及び感度の再設定を行なう。
【０１６８】
次のステップ３４６では、レリーズボタン５６Ａが全押し状態とされたことを示す操作信号の入力待ちを行い、次のステップ２４８では、静止画像データを取得し、その後にステップ３５０に移行して、記録メディア４２Ａにデジタル画像データを記憶させた後に本通常撮影処理を終了する。
【０１６９】
このように、本第３実施形態によれば、ＣＣＤ１４への露光時間を決定するシャッタースピードと、撮影感度（ＣＣＤ１４を用いて取得した画像信号の増幅率）と、が変更可能であり、１回の撮影指示に応じて、１のデジタル画像データを取得する通常撮影モードと、複数のデジタル画像データを取得する連続撮影モードと、の何れかを選択的に実行すると共に、連続撮影モードでの撮影処理では、撮影条件のうち、露光時間及び増幅率を互いに異ならせて複数のデジタル画像データを取得し、取得したデジタル画像データのうち、何れか１つを選択させ、選択されたデジタル画像データの撮影条件を記憶し、記憶した撮影条件に基づいて各撮影条件の選択頻度に応じた重み付け係数を導出し、通常撮影モードでの撮影処理において重み付け係数を加味して撮影条件を設定するので、個々のユーザに合わせた撮影条件が導出できる。
【０１７０】
また、連続撮影処理においては、シャッタースピードと感度の組合せを複数用いるため、手ぶれ量に個人差があっても適正なシャッタースピードと感度で撮影した画像を残すことができ、撮影画像のぶれを抑えると共に、必要以上に感度をあげることによる画質劣化を抑制できる。
【０１７１】
さらに、ぶれのない画像と、ぶれがあってもノイズが少なくて画質のよい画像と、のどちらを優先させるか、など、ユーザ毎に異なる好みにも対応できる。
（第４実施形態）
本第４実施形態では、選択傾向情報を導出しておき、選択傾向情報を用いて連続撮影処理の実行可否をデジタルカメラ１０側で判断する形態について説明する。
【０１７２】
なお、本第４実施形態のデジタルカメラの構成において、上記第１実施形態のデジタルカメラ１０の構成と同一の構成については同一の符号を付し、その図示及び説明を省略する。
【０１７３】
図１５には、本第４実施形態に係る撮影処理のうち、特に撮影条件の設定に関する機能ブロック図が示されている。同図に示されるように、本第４実施形態では、選択傾向情報導出部９６は、第１メモリ３８の最適シャッタースピード記憶領域９８と接続されている。
【０１７４】
また、選択傾向情報導出部９６では、撮影条件データ記憶領域９４に格納された撮影条件に基づいて、ユーザの好みの画像を得たときの撮影条件が選択され易くなるような最適シャッタースピードを導出する。
【０１７５】
なお、撮影条件記憶領域９４に格納されるデータが多いほど、ユーザが好むデジタル画像データが得られるシャッタースピードを最適シャッタースピードとして導出することができる。
【０１７６】
この選択傾向情報導出部９６で導出された最適シャッタースピードは、第１メモリ３８の最適シャッタースピード記憶領域９８に記憶される。
【０１７７】
なお、最適シャッタースピード記憶領域９８に記憶された最適シャッタースピードは、連続撮影処理が実行される毎に更新記憶される。
【０１７８】
ここで、本第４実施形態に係る撮影処理部８０は、連続撮影移行判定部８９を更に含んで構成されている。当該連続撮影移行判定部８９は、通常撮影処理の実行時に、ＡＥ・ＡＷＢ検出回路３６により導出されたシャッタースピードと、選択傾向情報導出部９６により導出された最適シャッタースピードとを比較して、両者の差の絶対値が所定の閾値よりも大きい場合には、通常撮影処理において設定されたシャッタースピードが適当でないと判断して、撮影処理部８０全体の処理を連続撮影処理に移行させる。
【０１７９】
以下、本第４実施形態の作用を説明する。なお、本第４実施形態における撮影処理の流れは上記第１実施形態における撮影処理の流れ（図５参照）と同じであるので、その図示及び説明を省略し、以下では、同一のステップ番号を用いる。
【０１８０】
図１６には、上記ステップ１０６で実行される連続撮影処理の流れが示されている。以下、同図を参照して、本第４実施形態に係る連続撮影処理について説明する。
【０１８１】
まず、ステップ４００では、撮影モードに応じた制御パラメータを設定し、次のステップ４０２では、レリーズボタン５６Ａが半押し状態とされたことを示す操作信号の入力待ちを行う。
【０１８２】
なお、上記撮影モードに応じた制御パラメータとしては、ＡＥ・ＡＷＢ検出回路３６において用いる露出演算部（図１５参照）の選択情報や、１回のレリーズボタンで取得するデジタル画像データの数（例えば、「３」）等のパラメータを適用することができる。
【０１８３】
次のステップ４０４では、ＣＣＤ１４を用いて取得したデジタル画像データの輝度情報に基づいて感度設定を行い、その後にステップ４０６に移行して、設定した感度での測光を行い、その後にステップ４０８に移行する。
【０１８４】
ステップ４０８では、レリーズボタン５６Ａが全押し状態とされたことを示す操作信号の入力待ちを行う。
【０１８５】
次のステップ４１０では、この時点で設定されている感度での測光結果に基づいて露出状態が適正になるようにシャッタースピードの設定を行う。
【０１８６】
次のステップ４１２では、設定した感度及びシャッタースピードで静止画像を取得し、次のステップ４１４に移行して、所定枚数分の静止画像データを取得したか否かを判定する。
【０１８７】
ステップ４１４で否定判定となった場合はステップ４１６に移行して、次の撮影用の感度設定を行い、その後にステップ４１７に移行して、設定した感度での測光を行い、その後に再びステップ４１０に戻る。
【０１８８】
一方、ステップ４１４で肯定判定となるとステップ４１８に移行して、取得した複数の静止画像データにより示される静止画像をＬＣＤ３０に表示した後にステップ４２０に移行して、何れか１枚の静止画像の選択待ちを行う。
【０１８９】
次のステップ４２２では、選択結果に基づいて取得した静止画像データを記録メディア４２Ａに記憶し、その後にステップ４２４に移行して、選択結果に基づいて静止画像データ取得時の撮影条件を第１メモリ３８の撮影条件データ記憶領域９４に記憶した後に、ステップ４２６に移行する。
【０１９０】
なお、例えば、連続撮影処理により取得した複数の静止画像をＬＣＤ３０に表示する際に、ユーザが最も高く評価する静止画像を選択することを促すメッセージ等を表示した場合は、選択された静止画像を複数枚の静止画像の代表画像として記録メディアに記録することができる。
【０１９１】
また、この場合、第１メモリ３８に、選択された静止画像のデジタル画像データを取得したときの撮影条件を最もユーザが好む撮影条件として記憶することができる。
【０１９２】
ステップ４２６では、第１メモリ３８に記憶した撮影条件データに基づいて最適シャッタースピードを導出し、第１メモリ３８の最適シャッタースピード記憶領域９８に記憶された最適シャッタースピードを更新記憶し、その後に本連続撮影処理を終了する。
【０１９３】
このようにして連続撮影処理において第１メモリ３８に記憶された最適シャッタースピードは、通常撮影処理における撮影条件の設定時における連続撮影処理への移行可否判断に利用することができる。
【０１９４】
図１７には、本第４実施形態に係る通常撮影処理の流れが示されている。以下、同図を参照して、本第４実施形態に係る通常撮影処理について説明する。
【０１９５】
まず、ステップ４３０では、撮影モードに応じた制御パラメータを設定する。なお、上記撮影モードに応じた制御パラメータとしては、ＡＥ・ＡＷＢ検出回路３６において用いる露出演算部（図１５参照）の選択情報や、１回のレリーズボタンで取得するデジタル画像データの数（ここでは、「１」）等のパラメータを適用することができる。
【０１９６】
次のステップ４３２では、感度設定を行い、その後にステップ４３４に移行して、レリーズボタン５６Ａが半押し状態とされたことを示す操作信号の入力待ちを行う。
【０１９７】
次のステップ４３６では、この時点で設定されている感度で測光を行い、次のステップ４３８では、測光結果に基づいて露出状態が適正になるようにシャッタースピードＴｖＡを導出する。
【０１９８】
次のステップ４４０では、第１メモリ３８に記憶された最適シャッタースピードＴｖＢを読出し、その後にステップ３４２に移行して、露出状態が適正になるように導出したシャッタースピードＴｖＡと最適シャッタースピードＴｖＢとの差の絶対値が、閾値よりも小さいか否かを判定する。
【０１９９】
ステップ４４２で肯定判定となった場合は、露出状態が適正になるように導出したシャッタースピードＴｖＡが適当であると判断してステップ４４４に移行し、シャッタースピードＴｖＡを設定し、その後にステップ４４６に移行する。
【０２００】
次のステップ４４６では、レリーズボタン５６Ａが全押し状態とされたことを示す操作信号の入力待ちを行い、次のステップ４４８では、静止画像データを取得し、その後にステップ４５０に移行して、記録メディア４２Ａにデジタル画像データを記憶させた後に本通常撮影処理を終了する。
【０２０１】
一方、ステップ４４２で否定判定となった場合は、シャッタースピードＴｖＡを設定して撮影を行なっても、ユーザの好みの静止画像が得られない可能性が大きいと判断し、ステップ４５２に移行して、連続撮影用の露出状態の導出を行い、その後に複数の撮影条件で複数枚の静止画像を得るべく、連続撮影処理（上記図１６の矢印Ａで示す位置）に移行する。
【０２０２】
このように、本第４実施形態によれば、ＣＣＤ１４への露光時間を決定するシャッタースピードと、撮影感度（ＣＣＤ１４を用いて取得した画像信号の増幅率）と、が変更可能であり、１回の撮影指示に応じて、１のデジタル画像データを取得する通常撮影モードと、複数のデジタル画像データを取得する連続撮影モードと、の何れかを選択的に実行すると共に、連続撮影モードでの撮影処理では、撮影条件のうち、露光時間及び増幅率を互いに異ならせて複数のデジタル画像データを取得し、取得したデジタル画像データのうち、何れか１つを選択させ、選択されたデジタル画像データの撮影条件を記憶し、記憶した撮影条件に基づいて最適シャッタースピードを導出し、通常撮影モードでの撮影処理において撮影条件を設定する際に、導出したシャッタースピードＴｖＡと最適シャッタースピードＴｖＢとの差の絶対値の大きさに応じて連続撮影の実行可否をカメラ側で判断するので、個々のユーザに合わせた撮影条件が導出できる。
【０２０３】
また、連続撮影処理においては、シャッタースピードと感度の組合せを複数用いるため、手ぶれ量に個人差があっても適正なシャッタースピードと感度で撮影した画像を残すことができ、撮影画像のぶれを抑えると共に、必要以上に感度をあげることによる画質劣化を抑制できる。
【０２０４】
さらに、ぶれのない画像と、ぶれがあってもノイズが少なくて画質のよい画像と、のどちらを優先させるか、など、ユーザ毎に異なる好みにも対応できる。
【０２０５】
なお、連写枚数及び感度変更分解能は、導出したシャッタースピードＴｖＡと最適シャッタースピードＴｖＢとの差の絶対値の大きさに応じて設定するようにしてもよい。
（第５実施形態）
上記第４実施形態では、通常撮影処理の途中で、最適シャッタースピードに基づいて連続撮影処理を実行するか否かを判断する形態について説明したが、本第５実施形態では、連続撮影処理を実行するか否かを、通常撮影処理の実行開始前に判断する形態について説明する。
【０２０６】
なお、本第５実施形態のデジタルカメラの構成において、上記第１実施形態のデジタルカメラ１０の構成と同一の構成については同一の符号を付し、その図示及び説明を省略する。
【０２０７】
図１８には、本第５実施形態に係る撮影処理のうち、特に撮影条件の設定に関する機能ブロック図が示されている。同図に示されるように、本第５実施形態では、選択傾向情報導出部９６は、第１メモリ３８の標準偏差記憶領域９７と接続されている。
【０２０８】
また、選択傾向情報導出部９６では、撮影条件データ記憶領域９４に格納された撮影条件に基づいて、ユーザの好みの画像を得たときの撮影条件の頻度に基づく標準偏差を導出する。なお、ユーザの好みの画像が得られる撮影条件には、ユーザ毎に偏りがある傾向にため、撮影条件記憶領域９４に格納されるデータが多いほど、ユーザが好むデジタル画像データが得られる撮影条件の標準偏差が高くなる傾向にある。
【０２０９】
なお、標準偏差は、シャッタースピードと、感度と、のそれぞれについて導出してもよいし、シャッタースピードと感度との組み合わせ毎に導出してもよい。
【０２１０】
この選択傾向情報導出部９６で導出された標準偏差は、第１メモリ３８の標準偏差記憶領域９７に記憶される。
【０２１１】
なお、標準偏差記憶領域９７に記憶された標準偏差は、連続撮影処理が実行される毎に更新記憶される。
【０２１２】
ここで、本第５実施形態に係る撮影処理部８０は、連続撮影移行判定部８９を更に含んで構成されている。当該連続撮影移行判定部８９は、選択傾向情報導出部９６により導出された標準偏差が所定の閾値よりも小さい場合には、撮影条件記憶領域９４に格納されるデータの数が不足であり、撮影条件データ記憶領域９４に記憶された撮影条件に基づいて通常撮影処理における撮影条件を決定することは適当でないと判断し、撮影処理部８０全体の処理を連続撮影処理に移行させる。
【０２１３】
以下、本第５実施形態の作用を説明する。まず、図１８には、本第５実施形態における撮影処理の流れが示されている。以下、同図を参照して、本第５実施形態に係る撮影処理について説明する。
【０２１４】
まず、ステップ５５０では、撮影モードを読み出し、次のステップ５５２では、連続撮影モードが設定されているか否かを判定する。
【０２１５】
ステップ５５２で肯定判定となった場合はステップ５５４に移行して、連続撮影処理を実行し、その後に本撮影処理を終了する。
【０２１６】
ここで、図２０には、上記ステップ５５４（図１９参照)で実行される連続撮影処理の流れが示されている。以下、本実施の形態に係る連続撮影処理の流れについて説明する。
【０２１７】
まず、ステップ５００では、撮影モードに応じた制御パラメータを設定し、次のステップ５０２では、レリーズボタン５６Ａが半押し状態とされたことを示す操作信号の入力待ちを行う。
【０２１８】
なお、上記撮影モードに応じた制御パラメータとしては、ＡＥ・ＡＷＢ検出回路３６において用いる露出演算部（図１８参照）の選択情報や、１回のレリーズボタンで取得するデジタル画像データの数（例えば、「３」）等のパラメータを適用することができる。
【０２１９】
次のステップ５０４では、ＣＣＤ１４を用いて取得したデジタル画像データの輝度情報に基づいて感度設定を行い、その後にステップ５０６に移行して、設定した感度での測光を行い、その後にステップ５０８に移行する。
【０２２０】
ステップ５０８では、レリーズボタン５６Ａが全押し状態とされたことを示す操作信号の入力待ちを行う。
【０２２１】
次のステップ５１０では、この時点で設定されている感度での測光結果に基づいて露出状態が適正になるようにシャッタースピードの設定を行う。
【０２２２】
次のステップ５１２では、設定した感度及びシャッタースピードで静止画像を取得し、次のステップ５１４に移行して、所定枚数分の静止画像データを取得したか否かを判定する。
【０２２３】
ステップ５１４で否定判定となった場合はステップ５１６に移行して、次の撮影用の感度設定を行い、その後にステップ５１７に移行して、設定した感度での測光を行い、その後に再びステップ５１０に戻る。
【０２２４】
一方、ステップ５１４で肯定判定となるとステップ５１８に移行して、取得した複数の静止画像データにより示される静止画像をＬＣＤ３０に表示した後にステップ５２０に移行して、何れか１枚の静止画像の選択待ちを行う。
【０２２５】
次のステップ５２２では、選択結果に基づいて取得した静止画像データを記録メディア４２Ａに記憶し、その後にステップ５２４に移行して、選択結果に基づいて静止画像データ取得時の撮影条件を第１メモリ３８の撮影条件データ記憶領域９４に記憶した後に、ステップ５２６に移行する。
【０２２６】
なお、例えば、連続撮影処理により取得した複数の静止画像をＬＣＤ３０に表示する際に、ユーザが最も高く評価する静止画像を選択することを促すメッセージ等を表示した場合は、選択された静止画像を複数枚の静止画像の代表画像として記録メディアに記録することができる。
【０２２７】
また、この場合、第１メモリ３８に、選択された静止画像のデジタル画像データを取得したときの撮影条件を最もユーザが好む撮影条件として記憶することができる。
【０２２８】
ステップ５２６では、第１メモリ３８に記憶した撮影条件データに基づいてシャッタースピード及び感度の標準偏差を導出し、第１メモリ３８の標準偏差記憶領域９７に記憶された標準偏差を更新記憶し、その後に本連続撮影処理を終了する。
【０２２９】
このようにして連続撮影処理において第１メモリ３８に記憶された標準偏差は、撮影処理における通常撮影処理の実行可否判断に利用することができる。
【０２３０】
図１９のステップ５５２で、否定判定となった場合はステップ５５６に移行して、標準偏差を読み出し、その後にステップ５５８に移行して、読み出した標準偏差が閾値よりも小さいか否かを判定する。
【０２３１】
ステップ５５８で否定判定となった場合は、まだユーザの好みの静止画像を得るための撮影条件を絞り込むために十分なデータが得られていないと判断して、ステップ５５４に移行する。
【０２３２】
一方、ステップ５５８で肯定判定となった場合はステップ５６０に移行して、撮影条件データ記憶部９４に記憶されたユーザの好みの静止画像が得られるシャッタースピード及び感度等の撮影条件に基づいて撮影条件を設定する通常撮影処理を実行し、その後に本撮影処理を終了する。
【０２３３】
なお、本実施の形態に係る通常撮影処理としては、上記各実施形態のそれぞれで説明した処理を適宜実行可能である。この場合、図２０の連続撮影処理のステップ５２６の処理に加え、更に他の選択傾向情報を導出して第１メモリ３８に記憶しておき、通常撮影処理時に利用してもよいし、通常撮影処理において、選択傾向情報を導出するようにしてもよい。
【０２３４】
このように、本第５実施形態によれば、ＣＣＤ１４への露光時間を決定するシャッタースピードと、撮影感度（ＣＣＤ１４を用いて取得した画像信号の増幅率）と、が変更可能であり、１回の撮影指示に応じて、１のデジタル画像データを取得する通常撮影モードと、複数のデジタル画像データを取得する連続撮影モードと、の何れかを選択的に実行すると共に、連続撮影モードでの撮影処理では、撮影条件のうち、露光時間及び増幅率を互いに異ならせて複数のデジタル画像データを取得し、取得したデジタル画像データのうち、何れか１つを選択させ、選択されたデジタル画像データの撮影条件を記憶し、記憶した撮影条件に基づいて各撮影条件の選択頻度に応じた標準偏差を導出し、通常撮影モードでの撮影処理において標準偏差が所定の閾値よりも大きい場合に連続撮影処理を実行するので、個々のユーザに合わせた撮影条件を導出するためのデータ収集を行なうことができる。
【０２３５】
また、連続撮影処理においては、シャッタースピードと感度の組合せを複数用いるため、手ぶれ量に個人差があっても適正なシャッタースピードと感度で撮影した画像を残すことができ、撮影画像のぶれを抑えると共に、必要以上に感度をあげることによる画質劣化を抑制できる。
【０２３６】
さらに、ぶれのない画像と、ぶれがあってもノイズが少なくて画質のよい画像と、のどちらを優先させるか、など、ユーザ毎に異なる好みにも対応できる。
（第６実施形態）
本第６の実施形態では、デジタルカメラ１０に撮影者を識別するための情報を登録して、各撮影者に応じた撮影条件で通常撮影処理を実行可能とする形態について説明する。
【０２３７】
なお、本第５実施形態のデジタルカメラの構成において、上記第１実施形態のデジタルカメラ１０の構成と同一の構成については同一の符号を付し、その図示及び説明を省略する。
【０２３８】
図２１には、本第６実施形態に係る撮影処理のうち、特に撮影条件の設定に関する機能ブロック図が示されている。同図に示されるように、本第６実施形態では、第１メモリ３８は、撮影者登録領域８７を含んで構成されており、当該撮影者登録領域８７には、ユーザＩＤ等を含む撮影者を識別するための情報が記憶されている。
【０２３９】
撮影者を識別するための情報は、ＬＣＤ３０にメニュー画面等を表示して、ユーザに操作部５６を介してユーザＩＤを含む情報を入力させることにより記憶させることができる。
【０２４０】
ここで、第６実施形態に係る撮影処理部８０は、撮影者特定部８９を含んで構成されている。撮影処理部８０では、ＬＣＤ３０にユーザに撮影者を選択させる画面等を表示して撮影者を選択させ、撮影者特定部８９では、選択情報に基づく撮影者情報と撮影者登録領域８７に記憶された撮影者情報とを比較して、一致する撮影者を撮影者として特定する。
【０２４１】
また、本第６実施形態では、撮影条件データ管理部８２では、撮影条件データをユーザ毎に異なる撮影条件データ記憶領域９４Ａ，９４Ｂ，９４Ｃ，・・・に記憶する。さらに、選択傾向情報導出部９６で導出された選択傾向情報（同図に示す例では、最適シャッタースピード）も、ユーザ毎に異なる記憶領域に記憶する。
【０２４２】
撮影条件データ管理部８２では、第１メモリ３８の記憶領域のうち、上記撮影者特定部８９により特定された撮影者に対応する記憶領域を対象として、撮影条件データの読出し及び更新記憶等を実行する。
【０２４３】
以下、本第６実施形態の作用を説明する。まず、図２２には、本第６実施形態における撮影処理の流れが示されている。以下、同図を参照して、本第６実施形態に係る撮影処理について説明する。
【０２４４】
まず、ステップ６００では、撮影モードを読み出し、次のステップ６０２では、撮影者情報を取得する。当該撮影者情報は、ユーザによる操作部５６を介した操作により入力された撮影者を選択する選択情報と、第１メモリ３８の撮影者登録領域８７に記憶された撮影者の登録情報とを比較して、一致する登録情報を撮影者情報として取得する。
【０２４５】
次のステップ６０４では、この時点で設定されている撮影者情報と取得した撮影者情報とを比較して、一致するか否かを判定する。
【０２４６】
ステップ６０４で否定判定となった場合はステップ６０６に移行し、取得した撮影者情報を撮影者として設定することにより撮影者の切り替えを行った後に、ステップ６０８に移行する。
【０２４７】
一方、ステップ６０４で肯定判定となった場合は、この時点での撮影者の切り替えは不要であるので、ステップ６０６の処理を実行することなくステップ６０８に移行する。
【０２４８】
ステップ６０８では、連続撮影モードが設定されているか否かを判定し、当該判定が肯定判定となった場合はステップ６１０に移行して、連続撮影処理を実行し、その後に本撮影処理を終了する。
【０２４９】
なお、本第６実施形態に係る連続撮影処理としては、上記各実施形態のそれぞれで説明した処理を適用可能である。
【０２５０】
一方、ステップ６０８で否定判定となった場合はステップ６１２に移行して、撮影条件データ記憶部９４に記憶されたユーザの好みの静止画像が得られるシャッタースピード及び感度等の撮影条件に基づいて撮影条件を設定する通常撮影処理を実行し、その後に本撮影処理を終了する。
【０２５１】
なお、本第６実施の形態に係る通常撮影処理としては、上記各実施形態のそれぞれで説明した処理を適宜実行可能である。
【０２５２】
このように、本第６実施形態によれば、ＣＣＤ１４への露光時間を決定するシャッタースピードと、撮影感度（ＣＣＤ１４を用いて取得した画像信号の増幅率）と、が変更可能であり、１回の撮影指示に応じて、１のデジタル画像データを取得する通常撮影モードと、複数のデジタル画像データを取得する連続撮影モードと、の何れかを選択的に実行すると共に、連続撮影モードでの撮影処理では、撮影条件のうち、露光時間及び増幅率を互いに異ならせて複数のデジタル画像データを取得し、取得したデジタル画像データのうち、何れか１つを選択させ、選択されたデジタル画像データの撮影条件を記憶し、記憶した撮影条件に基づいて選択傾向情報を導出し、通常撮影モードでの撮影処理において選択傾向情報を加味して撮影条件を設定する際に、撮影者を認識して識別することにより、撮影者毎に個別の最適シャッタースピードを読み出すことができるので、個々のユーザに合わせた撮影条件が導出できる。
【０２５３】
また、連続撮影処理においては、シャッタースピードと感度の組合せを複数用いるため、手ぶれ量に個人差があっても適正なシャッタースピードと感度で撮影した画像を残すことができ、撮影画像のぶれを抑えると共に、必要以上に感度をあげることによる画質劣化を抑制できる。
【０２５４】
さらに、ぶれのない画像と、ぶれがあってもノイズが少なくて画質のよい画像と、のどちらを優先させるか、など、ユーザ毎に異なる好みにも対応できる。
【０２５５】
なお、撮影者の登録を行なわない撮影も可能な構成としてもよい。
（変形例２）
上記第６実施形態では、操作部５６を介してユーザに撮影者を選択させる形態について説明したが、本変形例２では、指紋検出装置を設け、検出された指紋データに基づいて撮影者を自動的に判別する形態について説明する。
【０２５６】
なお、本変形例２のデジタルカメラの構成において、上記第１実施形態のデジタルカメラ１０の構成と同一の構成については同一の符号を付し、その図示及び説明を省略する。
【０２５７】
図２３には、本変形例２に係る撮影処理のうち、特に撮影者の判別に関する機能ブロック図が示されている。同図に示されるように、本変形例２では、レリーズボタン５６Ａの指で押圧操作する面に、指紋検出装置５７が設けられている。当該指紋検出装置５７は、指紋を撮像して、画像処理を施して指紋データとして出力する。
【０２５８】
当該指紋検出装置５７は、撮影者特定部８９に接続されており、撮影者特定部８９では、指紋データが入力されると、撮影者登録領域８７に記憶された撮影者情報を順次読出して、撮影者の特定を行う。
【０２５９】
第１メモリ３８に設けられた撮影者登録領域８７には、指紋検出装置５７により検出される指紋データが、当該指紋データに該当するユーザＩＤや、当該ユーザＩＤに応じた記憶領域を示す情報等と関連付けされて記憶されている。
【０２６０】
また、撮影者特定部８９では、撮影者登録領域８７に記憶された指紋データと指紋検出装置５７により取得された指紋データとを比較して、一致する指紋データがない場合は、新たに撮影者を登録するものと判断する。
【０２６１】
撮影者の登録は、ＬＣＤ３０に新規ユーザＩＤの入力を促す画面を表示する等して、操作部５６の操作に基づいて新規指紋データ、ユーザＩＤ、当該ユーザＩＤに対応する記憶領域を示す情報等の撮影者情報を撮影者登録領域８７に記憶することで実行できる。
【０２６２】
また、撮影者特定部８９は、撮影条件データ管理部８２と接続されており、撮影条件データ管理部８２では、撮影者特定部８９により特定された撮影者に応じて、第１メモリ３８の撮影者に応じた記憶領域を対象として、処理を行う。
【０２６３】
以下、本変形例２の作用を説明する。まず、図２４には、本変形例２における撮影処理の流れが示されている。以下、同図を参照して、本変形例２に係る撮影処理について説明する。
【０２６４】
まず、ステップ６５０では、撮影モードを読み出し、次のステップ６５２では、レリーズボタン５６Ａへの指の接触待ちを行なう。
【０２６５】
次のステップ６５４では、指紋検出装置５７を介して指紋データを取得し、その後にステップ６５６に移行して、変数ｎに１をセットした後にステップ６５８に移行する。
【０２６６】
ステップ６５８では、ｎ番目の登録者の指紋データを読出し、その後にステップ６６０に移行して、指紋検出装置５７を介して取得した指紋データとｎ番目の登録者の指紋データとの相関が閾値以上か否かを判定し、当該判定が肯定判定となった場合はステップ６６２に移行して、撮影者をｎ番目の登録者に設定し、その後にステップ６７２に移行する。
【０２６７】
一方、ステップ６６０で否定判定となった場合はステップ６６４に移行して、変数ｎの値が第１メモリ３８の撮影者登録領域８７に登録された撮影者の数（登録者数）以上か否かを判定し、当該判定が否定判定となった場合はステップ６６６に移行する。ステップ６６６では、変数ｎをインクリメントし、その後再びステップ６５８に戻る。
【０２６８】
また、ステップ６６４で肯定判定となった場合は、取得した指紋データが新規の撮影者の指紋データであると判断してステップ６６８に移行し、新規登録を実行する。
【０２６９】
なお、新規登録としては、取得した指紋データを、ユーザＩＤや第１メモリ３８の記憶領域を示す情報と関連付けて撮影者登録領域８７に記憶することにより実行できる。
【０２７０】
次のステップ６７０では、新規登録者を撮影者として設定し、その後にステップ６７２に移行する。
【０２７１】
ステップ６７２では、連続撮影モードが設定されているか否かを判定し、当該判定が肯定判定となった場合はステップ６７４に移行して、連続撮影処理を実行し、その後に本撮影処理を終了する。
【０２７２】
なお、本変形例２に係る連続撮影処理としては、上記各実施形態のそれぞれで説明した処理を適用可能である。
【０２７３】
一方、ステップ６７２で否定判定となった場合はステップ６７６に移行して、撮影条件データ記憶部９４に記憶されたユーザの好みの静止画像が得られるシャッタースピード及び感度等の撮影条件に基づいて撮影条件を設定する通常撮影処理を実行し、その後に本撮影処理を終了する。
【０２７４】
なお、本変形例２に係る通常撮影処理としては、上記各実施形態のそれぞれで説明した処理を適宜実行可能である。
【０２７５】
本変形例２では、レリーズボタン５６Ａに指が接触すると指紋検出及び撮影者の特定を実行する形態について説明したが、本発明はこれに限定されるものではなく、レリーズボタン５６Ａが半押し状態とされた時点で指紋検出及び撮影者の特定を実行するようにしてもよい。
【０２７６】
また、上記第６実施形態と同様、撮影者の登録を行なわない撮影も可能な構成としてもよい。
【０２７７】
なお、以上の各実施形態で説明したデジタルカメラ１０の構成（図１及び図２参照）は一例であり、本発明の主旨を逸脱しない範囲内において適宜変更可能であることは言うまでもない。
【０２７８】
例えば、連続撮影処理により取得した複数の静止画像をＬＣＤ３０に表示する際に、ユーザが最も低く評価する静止画像を選択することを促すメッセージ等を表示した場合には、選択された静止画像を示すデジタル画像データを破棄して、他のデジタル画像データのみを記録メディアに記憶することもできる。この場合、第１メモリ３８には、ユーザの好まない撮影条件として、選択された静止画像のデジタル画像データ取得時の撮影条件を記憶することができる。
【０２７９】
また、例えば、連続撮影処理において、取得したデジタル画像データの何れか１つをユーザに選択させ、選択されたデジタル画像データのみを記録メディア４２Ａに記憶させて、他のデジタル画像データについては破棄するようにしてもよい。
【０２８０】
さらに、破棄したデジタル画像データ取得時の撮影条件についても、ユーザの好まない撮影条件として記憶して、ユーザの好む撮影条件と、ユーザの好まない撮影条件と、の双方を加味して通常撮影処理の実行時の撮影条件を設定するようにしてもよい。
【０２８１】
また、上記実施形態では、連続撮影用露出演算部８８により、適時測光を行なって露出状態を導出する形態について説明したが、本発明はこれに限定されるものではなく、連続撮影用露出演算部８８では、連続撮影処理により取得する複数の静止画像データのそれぞれを取得する際の露出状態を予めまとめて導出して第１メモリ３８の連続撮影用露出記憶領域９２に格納してもよい。
【図面の簡単な説明】
【０２８２】
【図１】実施形態に係るデジタルカメラの外観を示す外観図である。
【図２】実施形態に係るデジタルカメラの電気系の構成を示すブロック図である。
【図３】第１実施形態に係る撮影処理に関する機能ブロック図である。
【図４】連続撮影により互いに異なる撮影条件で取得された３つのデジタル画像データにより示される画像の模式図である。
【図５】第１実施形態に係る撮影処理の流れを示すフローチャートである。
【図６】第１実施形態に係る連続撮影処理の流れを示すフローチャートである。
【図７】第１実施形態に係る通常撮影処理の流れを示すフローチャートである。
【図８】第２実施形態に係る撮影処理に関する機能ブロック図である。
【図９】第２実施形態に係る連続撮影処理の流れを示すフローチャートである。
【図１０】第１実施形態に係る通常撮影処理の流れを示すフローチャートである。
【図１１】変形例１に係る通常撮影処理の流れを示すフローチャートである。
【図１２】第３実施形態に係る撮影処理に関する機能ブロック図である。
【図１３】第３実施形態に係る連続撮影処理の流れを示すフローチャートである。
【図１４】第３実施形態に係る通常撮影処理の流れを示すフローチャートである。
【図１５】第４実施形態に係る撮影処理に関する機能ブロック図である。
【図１６】第４実施形態に係る連続撮影処理の流れを示すフローチャートである。
【図１７】第４実施形態に係る通常撮影処理の流れを示すフローチャートである。
【図１８】第５実施形態に係る撮影処理に関する機能ブロック図である。
【図１９】第５実施形態に係る撮影処理の流れを示すフローチャートである。
【図２０】第５実施形態に係る連続撮影処理の流れを示すフローチャートである。
【図２１】第６実施形態に係る撮影処理に関する機能ブロック図である。
【図２２】第６実施形態に係る撮影処理の流れを示すフローチャートである。
【図２３】変形例２に係る撮影処理に関する機能ブロック図である。
【図２４】変形例２に係る撮影処理の流れを示すフローチャートである。
【符号の説明】
【０２８３】
１０    デジタルカメラ
１２    レンズ
１３    光学ユニット
１４    ＣＣＤ（撮像素子）
１６    ＣＤＳＡＭＰ（切換え手段）
３０    ＬＣＤ
３２    ＣＰＵ（設定手段、撮影実行手段、制御手段）
３４    ＡＦ検出回路
３６    ＡＥ・ＡＷＢ検出回路（設定手段）
３８    第１メモリ（記憶手段、識別情報記憶手段）
４０    第２メモリ
４２Ａ    記録メディア
４８    タイミングジェネレータ（露光制御手段）
５０    モータ駆動部
５６    操作部（選択手段、取得手段）
５６Ａ    レリーズボタン（入力手段）
５７    指紋検出装置（取得手段）
【図１】
2009017368.tif 000003
【図２】
2009017368.tif 000004
【図３】
2009017368.tif 000005
【図４】
2009017368.tif 000006
【図５】
2009017368.tif 000007
【図６】
2009017368.tif 000008
【図７】
2009017368.tif 000009
【図８】
2009017368.tif 000010
【図９】
2009017368.tif 000011
【図１０】
2009017368.tif 000012
【図１１】
2009017368.tif 000013
【図１２】
2009017368.tif 000014
【図１３】
2009017368.tif 000015
【図１４】
2009017368.tif 000016
【図１５】
2009017368.tif 000017
【図１６】
2009017368.tif 000018
【図１７】
2009017368.tif 000019
【図１８】
2009017368.tif 000020
【図１９】
2009017368.tif 000021
【図２０】
2009017368.tif 000022
【図２１】
2009017368.tif 000023
【図２２】
2009017368.tif 000024
【図２３】
2009017368.tif 000025
【図２４】
2009017368.tif 000026